(57)【要約】【課題】プラントの操業訓練を行うにあたり、その訓練対象者の熟練度を正確に判定し得るプラント操業訓練システムを提供する。【解決手段】操作信号Ｉに応じてプラントの状態をシミュレートして警報信号Ｏを生成するプラントシミュレータ１と、信号Ｉ，Ｏの入出力を行う入出力手段２１と、訓練対象者８ａに対してシミュレータ１を作動させた状態でプラント操業訓練を行わせて対象者８ａの熟練度を判定する熟練度判定手段３１とを備えたプラント操業訓練システムにおいて、操作信号Ｉと警報信号Ｏとの入出力履歴を記録する入出力履歴記録手段２２を備え、熟練度判定手段３１が、対象者８ａによるプラント操業訓練時において入出力履歴記録手段２２で記録された入出力履歴の時系列データを訓練対象者入出力データとして生成し、基準入出力データに対する訓練対象者入出力データの類似度から熟練度を判定する。【選択図】図１
2008129341.tif 000002
【特許請求の範囲】
【請求項１】
操作信号に応じてプラントの状態をシミュレートし、当該プラントにおける警報信号を生成するプラントシミュレータと、
前記操作信号の入力及び前記警報信号の出力を行う入出力手段と、
訓練対象者に対して、前記プラントシミュレータを作動させた状態で前記入出力手段による前記プラントの操業訓練を行わせて、当該訓練対象者の熟練度を判定する熟練度判定手段とを備えたプラント操業訓練システムであって、
前記入出力手段における前記操作信号と前記警報信号との入出力履歴を記録する入出力履歴記録手段を備え、
前記熟練度判定手段が、前記訓練対象者による前記プラントの操業訓練時において前記入出力履歴記録手段で記録された前記入出力履歴の時系列データを訓練対象者入出力データとして生成し、予め登録してある基準入出力データに対する当該訓練対象者入出力データの類似度から前記訓練対象者の熟練度を判定するプラント操業訓練システム。
【請求項２】
熟練者による前記プラントの操業訓練時において前記入出力履歴記録手段で記録された前記入出力履歴の時系列データを熟練者入出力データとして生成し、当該熟練者入出力データを前記基準入出力データとして登録する基準入出力データ登録手段を備えた請求項１に記載のプラント操業訓練システム。
【請求項３】
前記入出力履歴が、前記操作信号の入力頻度と前記警報信号の出力個数とである請求項１又は２に記載のプラント操業訓練システム。
【請求項４】
前記熟練度判定手段で判定した熟練度を前記訓練対象者に関連付けて格納する熟練度データベースを備え、
前記熟練度に関する設定条件を満たす前記訓練対象者を前記熟練度データベースから抽出し、当該抽出した訓練対象者を前記プラントの操業者に決定する形態で、前記プラントの操業計画を行うプラント操業計画手段を備えた請求項１〜３のいずれか一項に記載のプラント操業訓練システム。
【発明の詳細な説明】
【技術分野】
【０００１】
本発明は、操作信号に応じてプラントの状態をシミュレートし、当該プラントにおける警報信号を生成するプラントシミュレータと、
前記操作信号の入力及び前記警報信号の出力を行う入出力手段と、
訓練対象者に対して、前記プラントシミュレータを作動させた状態で前記入出力手段による前記プラントの操業訓練を行わせて、当該訓練対象者の熟練度を判定する熟練度判定手段とを備えたプラント操業訓練システムに関する。
【背景技術】
【０００２】
工業や化学等のあらゆる分野のプラントを操業する操業者に対して、例えば異常発生時における対応を迅速且つ適切に行うための知識や技能を身に付けさせるために、その操業者に対してプラントの操業訓練を適切且つ効率的に行うことが望ましく、このようなプラントの操業訓練を行うためのプラント操業訓練システムが知られている（例えば、特許文献１を参照。）。
【０００３】
かかる従来のプラント操業訓練システムは、プラントへの操作信号の入力やプラントからの警報信号の出力を行う制御端末などの入出力手段を備えると共に、その入出力手段から入力された操作信号に応じてプラントの状態をシミュレートし、当該プラントにおける警報信号を生成し、その入出力手段から出力させるプラントシミュレータを備える。そして、このシステムにより、訓練対象者は、プラントシミュレータを作動させた状態で、入出力手段において出力される警報信号を監視しながら操作信号を入力する所謂プラントの操業訓練を行うことができる。
【０００４】
更に、上記特許文献１に記載のプラント操業訓練システムでは、訓練対象者にプラントの操業訓練を行わせて、その訓練対象者の熟練度を判定可能に構成されており、詳しくは、プロセス量や警報発生回数などのシミュレート結果の履歴を記録し、例えば、ある期間でのプロセス量が目標に近いほど又は警報発生回数が少ないほど熟練度を高く判定する形態で、ある期間でのシミュレート結果のみで訓練対象者の熟練度を判定するように構成されている。
【０００５】
【特許文献１】特開平９−２９７５２４号公報（段落００２２等）
【発明の開示】
【発明が解決しようとする課題】
【０００６】
しかしながら、上記特許文献１に記載のプラント操業訓練システムでは、熟練度の判定基準が、訓練対象者がどのような操作を行ったかによるものではなく、単にプラントシミュレータにおけるシミュレート結果によるものであるので、その判定結果が訓練対象者の実際の熟練度を正確に示すものではなく信頼性が低いものとなる場合がある。
即ち、実用的ではない又は危険が伴う操作等のように問題がある操作を行った場合でも、そのシミュレート結果の履歴が偶然に良くなって、その訓練対象者の熟練度が高いと誤判定してしまったり、逆に、実用的で且つ結果よりも安全を優先するような操作等のように望ましい操作を行った場合でも、そのシミュレート結果の履歴が偶然に悪くなって、その訓練対象者の熟練度が低いと誤判定されてしまう場合がある。
【０００７】
更に、上記のよう熟練度の判定結果は、例えばプラントの操業者として要求される熟練度に関する設定条件を満たす訓練対象者をプラントの操業者に決定する形態でのプラントの操業計画に利用する場合がある。しかし、その判定結果の信頼性が低い場合には、プラントの操業者の実際の熟練度が設定条件を満たすものとならずに、例えば、プラントの操業者の実際の熟練度にばらつきが生じたり、要求される熟練度に達していない者がプラントの操業者とされるなどの問題が生じることが懸念される。
【０００８】
本発明は、上記の課題に鑑みてなされたものであり、その目的は、プラントの操業訓練を行うにあたり、その訓練対象者の熟練度を正確に判定し得るプラント操業訓練システムを提供する点にある。
【課題を解決するための手段】
【０００９】
上記目的を達成するための本発明に係るプラント操業訓練システムは、操作信号に応じてプラントの状態をシミュレートし、当該プラントにおける警報信号を生成するプラントシミュレータと、
前記操作信号の入力及び前記警報信号の出力を行う入出力手段と、
訓練対象者に対して、前記プラントシミュレータを作動させた状態で前記入出力手段による前記プラントの操業訓練を行わせて、当該訓練対象者の熟練度を判定する熟練度判定手段とを備えたプラント操業訓練システムであって、その第１特徴構成は、前記入出力手段における前記操作信号と前記警報信号との入出力履歴を記録する入出力履歴記録手段を備え、
前記熟練度判定手段が、前記訓練対象者による前記プラントの操業訓練時において前記入出力履歴記録手段で記録された前記入出力履歴の時系列データを訓練対象者入出力データとして生成し、予め登録してある基準入出力データに対する当該訓練対象者入出力データの類似度から前記訓練対象者の熟練度を判定する点にある。
【００１０】
上記第１特徴構成によれば、上記熟練度判定手段により生成される上記訓練対象者入出力データは、訓練対象者が上記プラントの操業訓練を行っている間に上記プラントシミュレータから上記入出力手段を介して出力された上記警報信号の出力履歴の時系列データのみならず、同操業訓練を行っている間に訓練対象者が上記入出力手段を介して上記プラントシミュレータに入力した上記操作信号の入力履歴の時系列データを反映したものとなる。
そして、その訓練対象者入出力データが、高い熟練度の基準となる所定の基準入出力データに近似したものであるほど、その操業訓練時において訓練対象者が適切な状態で操作信号を入力し適切な状態で警報信号が出力されたと認められることから、上記熟練度判定手段により、上記基準入出力データに対する上記訓練対象者入出力データの類似度から判定した熟練度は、その訓練対象者の実際の熟練度を正確に示すものとなる。
従って、本発明により、プラントの操業訓練を行うにあたり、その訓練対象者の熟練度を正確に判定し得るプラント操業訓練システムを実現することができる。
【００１１】
本発明に係るプラント操業訓練システムの第２特徴構成は、上記第１特徴構成に加えて、熟練者による前記プラントの操業訓練時において前記入出力履歴記録手段で記録された前記入出力履歴の時系列データを熟練者入出力データとして生成し、当該熟練者入出力データを前記基準入出力データとして登録する基準入出力データ登録手段を備えた点にある。
【００１２】
上記第２特徴構成によれば、上記基準入出力データ登録手段により、適切な状態で操作信号を入力し適切な状態で警報信号が出力されるようにプラントを操業できる熟練者に対して、プラントの操業訓練を行わせて、そのときに生成した熟練者入出力データを、簡単に、上記基準入出力データとして登録することができる。
【００１３】
本発明に係るプラント操業訓練システムの第３特徴構成は、上記第１乃至上記第２の何れかの特徴構成に加えて、前記入出力履歴が、前記操作信号の入力頻度と前記警報信号の出力個数とである点にある。
【００１４】
上記第３特徴構成によれば、上記熟練度判定手段において、上記入出力履歴記録手段により記録された操作信号の入力頻度の時系列データについて、基準入出力データとして基準となる操作信号の入力頻度の時系列データとの類似度を求めることにより、訓練対象者が正確な操作を安定して行っているか否かを認識することができる。また、上記熟練度判定手段において、上記入出力履歴記録手段により記録された警報信号の出力個数の時系列データについて、基準入出力データとして基準となる警報信号の出力個数の時系列データとの類似度を求めることにより、その訓練対象者の操作に対して、適切な状態でプラントの安全性が確保されているか否かを認識することができる。従って、熟練度判定手段により、訓練対象者によるプラントの操業訓練時における操作信号の入力頻度と警報信号の出力個数との時系列データである訓練対象者入出力データについて、高い熟練度の基準となる操作信号の入力頻度と警報信号の出力個数との時系列データである基準入出力データに対する類似度から、訓練対象者の熟練度を判定することで、訓練対象者が正確な操作を行って適切な状態でプラントの安全性が確保されているか否かを、当該熟練度として定量的に判定することができる。
【００１５】
本発明に係るプラント操業訓練システムの第４特徴構成は、上記第１乃至上記第３の何れかの特徴構成に加えて、前記熟練度判定手段で判定した熟練度を前記訓練対象者に関連付けて格納する熟練度データベースを備え、
前記熟練度に関する設定条件を満たす前記訓練対象者を前記熟練度データベースから抽出し、当該抽出した訓練対象者を前記プラントの操業者に決定する形態で、前記プラントの操業計画を行うプラント操業計画手段を備えた点にある。
【００１６】
上記第４特徴構成によれば、上記プラント操業計画手段を備えることで、上記熟練度データベースに格納した複数の訓練対象者の夫々の熟練度を参照し、プラントの操業者として要求される熟練度に関する設定条件を満たす訓練対象者を抽出してプラントの操業者に決定する形態で、プラントの操業計画を行うことができる。
そして、これまで説明してきたように、上記熟練度判定手段により判定し上記熟練度データベースに格納する熟練度は、訓練対象者の実際の熟練度を正確に示すものであるので、プラントの操業者の実際の熟練度のばらつきや、要求される熟練度に達していない者のプラントの操業などの問題を回避し、プラントの操業者の実際の熟練度を要求どおりとするようにプラントの操業計画を行うことができる。
【発明を実施するための最良の形態】
【００１７】
本発明に係るプラント操業訓練システムの実施の形態について、図面に基づいて説明する。
図１に示すプラント操業訓練システム（以下、「本システム」と呼ぶ。）は、詳細については後述するが、操作信号Ｉに応じてプラントの状態をシミュレートし、当該プラントにおける警報信号Ｏを生成するプラントシミュレータ１と、操作信号Ｉの入力及び警報信号Ｏの出力を行う制御端末２と、訓練対象者８ａや熟練者８ｂ等の利用者８に対してプラントシミュレータ１を作動させた状態で制御端末２によるプラントの操業訓練を行わせるための訓練サーバ３と、プラントの操業計画を行う計画端末４等を、社内ＬＡＮなどの通信ネットワーク７を介して互いにデータ通信可能な状態で接続してなる。
【００１８】
上記プラントシミュレータ１は、通常のコンピュータシステムからなり、所定のコンピュータプログラムを実行することにより、操作信号Ｉに応じてプラントの状態をシミュレートし、当該プラントにおける警報信号Ｏを生成するように構成されている。
具体的に、プラントシミュレータ１は、実際のプラントにおける各種機器類をモデル化したプラントモデル１１を有し、制御端末２から入力された操作信号に応じてプラントＰの状態がどのような状態に遷移するかをシミュレートして、プラントＰで出力される警報信号Ｏを含むプラントＰの状態を認識可能な状態信号を生成するように構成されている。尚、かかるプラントシミュレータ１は、公知のプラントシミュレータの構成を適宜採用することできる。
【００１９】
また、図１に示すように、上記制御端末２は、通信ネットワーク７を通じて通信可能な通常のパーソナルコンピュータからなり、キーボードやディスプレイ等を有して操作信号Ｉの入力及び警報信号Ｏの出力を行う入出力手段２１として機能するように構成されている。
一方、上記訓練サーバ３は、通信ネットワーク７を通じて通信可能な通常のサーバシステムからなり、上記制御端末２に対してプラントの操業訓練のための各種処理用画面を提供するように構成されている。
例えば、上記処理画面としては、プラントにおける各種機器の配置図や、ポンプやバルブなどの操作対象機器への操作信号Ｉの入力を支援するための操作画面や、流量計や圧力計などの計測機器の計測値を表示するための計測結果画面や、警報信号Ｏを出力するための警報画面等が設けられている。
【００２０】
即ち、利用者８は、制御端末２においてディスプレイ上に表示される警報画面や操作画面などの各種処理画面を利用して、プラントシミュレータ１から出力される警報信号Ｏを確認しながら、その警報信号Ｏが出力されなくなるようにプラントシミュレータ１へ操作信号Ｉを入力するというようなプラントの操作訓練を行うことができる。
【００２１】
そして、上述した本システムは、上記利用者８としての訓練対象者８ａに対して、上記プラントの操業訓練を行わせるにあたり、その訓練対象者８ａの熟練度を正確に判定するための特徴構成を有しており、その特徴構成の詳細について以下に説明する。
【００２２】
図１を参照して、上記制御端末２は、利用者８がプラントの操業訓練を行う際に、例えば異常発生時の対処などのような課題に対して、上記制御端末２を介してプラントシミュレータ１へ入力した操作信号Ｉの入力履歴と、プラントシミュレータ１から制御端末２を介して出力された警報信号Ｏの出力履歴とを、入出力履歴としてメモリなどに記録する入出力履歴記録手段２２として機能するように構成されている。尚、この入出力履歴は、操作信号Ｉの属性及びその入力時間、及び、警報信号Ｏの属性及びその出力時間のログとして記録される。
更に、上記訓練サーバ３は、利用者８としての訓練対象者８ａに対してプラントの操業訓練を行わせたときに、訓練対象者８ａの熟練度を、例えば点数など定量的に判定する熟練度判定手段３１として機能するように構成されており、更に、その熟練度判定手段３１は、訓練対象者８ａにプラントの操業訓練を行わせたときに上記入出力履歴記録手段２２で記録された入出力履歴の時系列データを、訓練対象者入出力データとして生成するように構成されている。
即ち、この訓練対象者入力データは、訓練対象者８ａがプラントの操業訓練を行っている間にプラントシミュレータ１から出力された警報信号Ｏの出力履歴の時系列データのみならず、同操業訓練を行っている間に訓練対象者８ａが上記プラントシミュレータ１に入力した操作信号Ｉの入力履歴の時系列データをも反映したものとなる。
【００２３】
具体的には、上記入出力履歴が、操作信号Ｉの入力頻度（以下、「操作頻度」と呼ぶ。）と警報信号Ｏの出力個数（以下、「警報個数」と呼ぶ。）とされており、熟練度判定手段３１は、図２に示すように、上記訓練対象者８ａによるプラントの操業訓練時に入出力履歴記録手段２２で記録された入出力履歴から、訓練対象者８ａによる操作頻度と警報個数との時系列データを、訓練対象者入出力データＤとして生成する。
【００２４】
更に、熟練度判定手段３１は、図３に示すように、高い熟練度の基準となる操作頻度と警報個数との時系列データを所定の基準入出力データＤｓｔとして予め登録してあり、更に、その基準入出力データに対する上記訓練対象者入出力データＤの類似度を求め、その類似度から訓練対象者８ａの熟練度を判定するように構成されている。
即ち、その訓練対象者入出力データＤが、高い熟練度の基準となる所定の基準入出力データＤｓｔに近似したものであるほど、その操業訓練時において訓練対象者８ａが適切な状態で操作信号Ｉを入力して適切な状態で警報信号Ｏが出力されたと認められることから、上記熟練度判定手段３１により、上記基準入出力データＤｓｔに対する上記訓練対象者入出力データＤの類似度から判定した熟練度は、その訓練対象者８ａの実際の熟練度を正確に示すものとなる。
尚、この基準入出力データＤｓｔは、例えば図３に示すように、操作頻度については、継続して一定頻度以上の操作信号Ｉの入力が行われている状態となり、一方、警報個数については、時間が経過するのに伴って早い段階で極めて少ないものに低減されその状態が継続される状態となるものとされる。
【００２５】
また、上記基準入出力データＤｓｔに対する上記訓練対象者入出力データＤの類似度は、相関係数やユークリッドノルムを用いて２つのデータＤ，Ｄｓｔの類似度を評価する公知のマッチング方法により導出することができる。
尚、上記相関係数によるマッチング方法では、基準入出力データＤｓｔの観測データの標本平均と標本分散を、両データＤ，Ｄｓｔに共通な母平均と母分散とみなして両データＤ，Ｄｓｔの夫々の標準化を行い、その結果得られたデータの内積を類似度の指標とすることができる。また、別の上記相関係数によるマッチング方法では、基準入出力データＤｓｔの観測データの標本平均と標本分散を、両データＤ，Ｄｓｔに共通な母平均と母分散とみなして計算した相関係数を類似度の指標とすることもできる。
一方、上記ユークリッドノルムによるマッチング方法では、訓練対象者入出力データＤ上の点で基準入出力データＤｓｔ上の点とについて、それら２点間の距離をユークリッドノルムとして単位時間毎に求め、それらのユークリッドノルムの平均が０に近いほど類似度が高いと評価することができる。
尚、上記マッチング方法としては、隠れマルコフモデルを用いた方法など別の方法を採用しても構わない。
【００２６】
また、図３に示す上記基準入出力データＤｓｔは、適切な状態で操作信号Ｉを入力し適切な状態で警報信号Ｏが出力されるようにプラントを操業できる熟練者８ｂに対してプラントの操業訓練を行わせたときに、上記入出力履歴記録手段２２で記録された入出力履歴の時系列データとして得ることができる。
そして、図１に示すように、訓練サーバ３は、利用者８としての上記熟練者８ｂにプラントの操業訓練を行わせたときに上記入出力履歴記録手段２２で記録された入出力履歴の時系列データを熟練者入出力データとして生成し、その熟練者入出力データを自動的に上記基準入出力データＤｓｔとして登録する基準入出力データ登録手段３２として機能するように構成されている。
【００２７】
以下、実際のプラントの操業訓練による熟練度の評価結果例について、説明を加える。
尚、このプラントの操業訓練で使用したプラントシミュレータ１は、図４に示すように、ＬＮＧ供給プラント１００をモデル化したプラントモデル１１を有するものとして構成されている。
即ち、このＬＮＧ供給プラント１００は、ＬＮＧ（液化天然ガス）を貯蔵するＬＮＧタンク１０１、そのＬＮＧタンク１０１からＬＮＧを払い出すためのポンプ１０２、そのポンプ１０２から払い出されたＬＮＧを海水等との熱交換により気化して供給先に供給される都市ガスとする気化器１０３、及び、各部のＬＮＧや都市ガスの流量や圧力等を検知する計器類（図示せず）等の各種機器類を備えて構成されている。
また、このＬＮＧ供給プラント１００では、複数の主ポンプ１０２ａと少なくとも１つの予備ポンプ１０２ｂとからなる複数のポンプ１０２を並設している。そして、これら複数の主ポンプ１０２ａについては、払出し流量及び圧力が目標値となるように運転台数の制御が行われており、また、上記予備ポンプ１０２ｂについては、上記主ポンプ１０２ａの少なくとも１つが異常停止する所謂ポンプトリップが発生した場合に、そのポンプ１０２ａの代わりに起動される。
【００２８】
そして、本実施形態で行うプラントの操業訓練では、上記プラントシミュレータ１により、上記ポンプトリップ発生時におけるＬＮＧ供給プラント１００の状態をシミュレートさせた状態で行われる。
【００２９】
先ず、熟練者８ｂに対してプラントの操業訓練を行わせた場合におけるその熟練者８ｂによる対処方法について説明する。
〔熟練者の対処方法〕
１）ポンプトリップ発生直後に、運転中の他の主ポンプ１０２ａの吐出量を適量分瞬時に増加させることで、払出し流量及び払出し圧力の低下を一時的に抑制する。
２）ポンプトリップ発生から１５秒後に、予備ポンプ１０２ｂを起動させる。
３）起動した予備ポンプ１０２ｂの吐出量の目標値を瞬時に増量させるとともに、上記１）で一時的に増加した主ポンプ１０２ａの吐出量を元に戻す。
４）気化器１０３の出口側圧力を監視しながら、その出口側圧力が設定範囲内に収まるように、上記主ポンプ１０２ａの吐出量を微調整する。
【００３０】
そして、熟練者８ｂがプラントの操業訓練を行って上記のように対処することで、基準入出力データ登録手段３２により生成された熟練者入出力データが図３に示す基準入出力データＤｓｔとして登録される。
【００３１】
次に、訓練対象者８ａに対してプラントの操業訓練を行わせた場合におけるその訓練対象者８ａの対処方法について説明する。
〔訓練対象者の対処方法〕
１）ポンプトリップ発生直後に、予備ポンプ１０２ｂを起動させる。
２）運転中の他の主ポンプ１０２ａの吐出量を、例えば２．５分経過した時点で適量となる程度に、徐々に増加させる。
３）気化器１０３の出口側圧力を監視しながら、その出口側圧力が設定範囲内に収まるように、上記主ポンプ１０２ａ及び予備ポンプ１０２ｂの吐出量を微調整する。
【００３２】
そして、熟練者８ｂがプラントの操業訓練を行って上記のように対処することで、熟練度判定手段３１により、図２に示すような訓練対象者入出力データＤが生成され、予め登録している基準入出力データＤｓｔ（図３）に対する訓練対象者入出力データＤ（図２）の類似度から訓練対象者８ａの熟練度が判定される。
尚、この図２に示す訓練対象者入出力データＤは、上記基準入出力データＤｓｔ（図３）と比較して、操作頻度については継続しているものの少なく推移しており、一方、警報個数については、低減が見られるもののその低減量が不十分である。よって、訓練対象者８ａの熟練度、上記操作頻度が少なく推移している点による減点、及び、警報個数の低減量が不十分である点による減点が反映されたものとして評価されることになる。
【００３３】
次に、本システムにおいてプラントの操業計画を行うための構成について、説明を加える。
図１に示すように、訓練サーバ３は、複数の訓練対象者８ａの夫々に対してプラントの操業訓練を行わせるにあたり、熟練度判定手段３１により判定した夫々の訓練対象者８ａの熟練度を、訓練対象者８ａの識別情報に関連付けて、訓練サーバ３等のコンピュータシステムが備える１又は２以上の不揮発性記憶装置に割り付けられた熟練度データベース（以下、「熟練度ＤＢ」と略称する。）５０に格納するように構成されている。
即ち、熟練度ＤＢ５０は、熟練度判定手段３１で判定した熟練度を訓練対象者８ａに関連付けて格納するものとして構成されている。
【００３４】
更に、計画端末４は、上記熟練度ＤＢ５０に対してアクセス可能に構成された通常のパーソナルコンピュータサーバシステムからなる。そして、上記計画端末４は、熟練度に関する設定条件を満たす訓練対象者８ａを熟練度ＤＢ５０から抽出し、当該抽出した訓練対象者８ａをプラントの操業者に決定する形態で、プラントの操業計画を行うプラント操業計画手段４１として機能するように構成されている。
【００３５】
具体的には、特定の操業日において要求される熟練度に達していない者がプラントを操業しないようにするためには、上記プラント操業計画手段４１により、熟練度ＤＢ５０に格納された複数の訓練対象者８ａの熟練度を参照しながら、上記熟練度に関する設定条件として熟練度がある一定以上であるという条件を満たすように、熟練度ＤＢ５０から上記特定の操業日における操業者となる訓練対象者８ａを抽出することができる。
【００３６】
また、複数の操業日に渡ってプラントの操業者の実際の熟練度のばらつきが生じないようにするためには、上記プラント操業計画手段４１により、熟練度ＤＢ５０に格納された複数の訓練対象者８ａの夫々の熟練度を参照しながら、上記熟練度に関する設定条件として当該複数の操業日の夫々における複数の操業者の熟練度の平均値が略均一になるという条件を満たすように、熟練度ＤＢ５０から上記複数の操業日の夫々における操業者となる訓練対象者８ａを抽出することができる。
【００３７】
尚、上記実施の形態では、本訓練システムを、プラントシミュレータ１と制御端末２と訓練サーバ３と計画端末４とを通信ネットワーク７を互いにデータ通信可能な状態で接続した構成したが、これらコンピュータシステムの配置や接続形態等については適宜改変可能である。
【産業上の利用可能性】
【００３８】
本発明は、プラントの操業訓練を行うにあたり、その訓練対象者の熟練度を正確に判定し得るプラント操業訓練システムとして有効に利用可能である。
【図面の簡単な説明】
【００３９】
【図１】本発明に係るプラント操業訓練システムの概略構成図
【図２】訓練対象者入出力データの具体例を示す図
【図３】基準入出力データの具体例を示す図
【図４】プラントシミュレータでモデル化されたプラントの構成図
【符号の説明】
【００４０】
１：プラントシミュレータ
２１：入出力手段
２２：入出力履歴記録手段
３１：熟練度判定手段
３２：基準入出力データ登録手段
４１：プラント操業計画手段
５０：熟練度データベース
【図１】
2008129341.tif 000003
【図２】
2008129341.tif 000004
【図３】
2008129341.tif 000005
【図４】
2008129341.tif 000006